(57)【要約】      （修正有）【課題】サイズの異なる汚濁沈澱装置にそれぞれ適合する区画板を構成するための汎用性のある仕切板を提供する。【解決手段】長方形の可撓性板１の面部を互に接するように重ね合わせ、該重ね合わせた可撓性板の短辺側の両縁部を固定し、さらに重ね合わせた可撓性板の任意の複数個所に間隔保持杆７を固定するための孔を設け、該孔の所望する個所に間隔保持杆７を固定してなる仕切板。【選択図】図７
2008207162.tif 000002
【特許請求の範囲】
【請求項１】
長方形の可撓性板の任意の複数箇所に間隔保持杆を固定するための孔を設け、該孔の所望する箇所に間隔保持杆を固定して任意の形状に形成したことを特徴とする仕切り板。
【請求項２】
長方形の可撓性板の少なくとも２枚の面部を互に接するように重ね合わせ、該重ね合わせた可撓性板の短辺側の両縁部を固定し、さらに重ね合わせた可撓性板の任意の複数個所に間隔保持杆を固定するための孔を設け、該孔の所望する個所に間隔保持杆を固定して任意の形状に形成することを特徴とする仕切板。
【発明の詳細な説明】
【技術分野】
【０００１】  本発明は、埋立地の表層部の流土防止に用いられる区画板あるいは汚濁水の処理装置等に用いる区画板等の汎用性を有する仕切板に開する。
【背景技術】
【０００２】  従来、埋立地の表層部の土壌の流出を防止するためにシートを張ったり、汚濁水の処理装置に、該装置に合わせた傾斜板等を設けたもの等が提案されている（特許文献１参照）。【０００３】特許文献１  特開２００１−１８７３０２号公報
【発明の開示】
【発明が解決しようとする課題】
【０００４】  従来、汚濁水の処理装置に傾斜板等を設けた装置が提供されているが、従来の処理装置は、予め該装置のサイズに合わせて固定する方法がもっぱら採用されていた。しかしながら、このような従来法によれば、それぞれサイズの異なる装置に合わせて傾斜板等を設置しなければならない欠点があった。【０００５】  本発明者は、汚濁水の処理装置のサイズにかかわらず、いずれのサイズにも使用し得る区画板として用いることのできる仕切板について種々研究を重ねた結果本発明を完成するに至った。
すなわち、本発明は、長方形の可撓性板の任意の複数箇所に間隔保持杆を固定するための孔を設け、該孔の所望する箇所に間隔保持杆を固定して任意の形状に形成したことを特徴とする仕切り板および長方形の可撓性板の少なくとも２枚の面部を互に接するように重ね合わせ、該重ね合わせた可撓性板の短辺側の両縁部を固定し、さらに重ね合わせた可撓性板の任意の複数個所に間隔保持杆を固定するための孔を設け、該孔の所望する個所に間隔保持杆を固定して任意の形状に形成することを特徴とする仕切板に関する。
【発明の効果】
【０００６】  本発明の仕切板によればシュート形の汚濁水の処理装置に用いた場合シュートの幅の異なるタイプの装置においても間隔保持杆の長さを略シュート幅に合わせた長さのものをそれぞれの可撓性板の孔に固定することによって仕切板とシュート壁との間に実質的に隙間のない形態とすることができる。また埋立地の表層面に仕切板を隣接するように設けることによって、降雨があっても仕切板の開口部（区画部）に雨水が入り、区画部内に土砂が沈降し、水は次の区画部によって土砂と雨水とにさらに分離し、これを順次行うことによって、地表面の土砂の流出が防止されると共に雨水を浄化することができる。
【発明を実施するための最良の形態】
【０００７】  次に本発明をさらに詳細に説明するために添付図面に基づいて説明するが、本発明は以下の説明のみに限定されるものではない。
図１に示すように長方形の可撓性板１の短辺側の両端部２に可撓性板１の両縁部を固定するための孔３と孔３′を設ける。また可撓性板１には間隔保持杆を固定するための孔を任意の位置に任意の数だけ設ける。図１の場合は可撓板１の中間点に孔４Ａを設け、且つ孔４Ａと孔３の中間点に孔４Ｂを設け，孔４Ａと孔３′の中間点に孔４Ｂ′を設ける。そして孔３と孔４Ｂの間、孔４Ｂと孔４Ａとの間、孔４Ａと孔４Ｂ′との間および孔４Ｂ′と孔３′との間にそれぞれ３個所に孔を設ける。【０００８】  このように構成された可撓性板１を２枚重ね合わせ、両縁部に例えば保護板５，５′を設けた後孔３に例えばボルト、ナットにより固定すれば本発明の仕切板としての壁面部が構成される（図２参照）。【０００９】
2008207162.tif 000003
用いてシュート内に区画板を設けた沈澱装置について説明する。
2008207162.tif 000004
部分を広げてその間にシュート６の溝幅と略同寸法の長さの間隔保持杆７を孔４Ａの部位に固定することによって菱形の区画板８が構成される。
シュート６内に設けられる区画板８の高さは、シュートの溝を構成する側壁の高さより低くすることが好ましい。【００１０】  また、本発明の仕切板の他の態様としては、図５に示すように可撓性板１の両縁部を固定する場合に、上下の固定部を固定する場合ボルト９に管１０を通しナット１１で固定することによって可撓性板１を離間して設けることができる。
また、本発明の仕切板を２つの間隔保持杆７を用いて六角形状の区画板とした場合を図７に示す。【００１１】  図５および図６に示したように、可撓性板１を離間して設ける場合の他の態様として管１０の代りに滑車を設け、これを一端を固定したロープ１２によって各々の仕切板の各滑車に順次巻きつけていけばロープ１２を絞ることによって六角形の形状を若干偏平状にすることもできる（図８参照）。【００１２】  前記可撓性板１には間隔保持杆７を固定する孔を上下２つ設けた場合を示したが、その他中央部に１つ設けてもよいし、反対に３つ設けることもできる。
また間隔保持杆７は棒状、板状等の形状のものが使用できる。【００１３】  さらに本発明の仕切板の他の態様としては、図９に示したように、可撓性板１の２枚が蛇行する用に同じ間隔で開くように、複数の間隔保持杆７を固定する孔に設けた場合を示している。【００１４】  シュート内に可撓性板１を１枚使用した沈殿装置について説明する。
2008207162.tif 000005
６の溝幅と同寸法の間隔保持杆７を孔３の部位に固定する。次に間隔保持杆７を孔４Ｂの部位に孔３と反対の面から固定する。同様に孔４Ａ、孔４Ｂ′、孔３′の部位に交互に間隔保持杆７で固定する。
また他の態様として、シュート内に可撓性板１を複数使用することが出来、可撓性板１を３枚で構成されたものを図１１示す。【００１５】  次に本発明の仕切板を用いたシュート形の汚濁沈澱装置によるダム等における汚濁水の処理方法について説明する。
ダムの近傍に例えば図４に示すようなシュート形の汚濁沈澱装置を傾斜を付けて順次連結して構成する。そのシュート形汚濁沈澱装置の全長は、現場の状況により所望する長さに設置することができる。このシュート形汚濁沈澱装置にダムから汲み上げた汚濁水を流すことによって、シュート形汚濁沈澱装置内に設けられた区画板内に入り、ここで一部の汚濁粒子が沈澱し、汚濁水は溢流して次の区画板に入り、ここでさらに汚濁粒子が沈澱し、さらに次の区画板へ移行し、これを順次繰り返すことによって汚濁水中の汚濁粒子は区画板内に沈降して除去され、最終的には汚濁水は清澄水として川に放流される。【００１６】  また他の態様として、埋立地の地表面に図１２に示すように仕切板によって構成された区画板を設置することによって土砂の流出を防止することができる。
【図面の簡単な説明】
【００１７】
【図１】本発明の可撓性板の正面図
【図２】本発明の仕切板の斜視図
【図３】シュート形沈澱装置内に区画板を設けた状態を示す平面図
【図４】図３の斜視図
【図５】可撓性板を離間して設けた場合の一部を示す平面図
【図６】図５の斜視図
【図７】本発明の他の態様を示すシュート形沈澱装置の平面図
【図８】可撓性板の両縁固定部に滑車を設けロープを巻き上げた場合の斜視図
【図９】本発明の他の態様を示すシュート形沈澱装置の平面図
【図１０】本発明の他の態様を示すシュート形沈澱装置の平面図
【図１１】本発明の他の態様を示すシュート形沈澱装置の平面図
【図１２】埋立地の表層面に本発明の区画板を連接して設けた状態を示す状態図
【符号の説明】
【００１８】    １・・・可境性板
２・・・両縁部
３・・・孔
2008207162.tif 000006
７・・・間隔保持杆
８・・・区画板
【図１】
2008207162.tif 000007
【図２】
2008207162.tif 000008
【図３】
2008207162.tif 000009
【図４】
2008207162.tif 000010
【図５】
2008207162.tif 000011
【図６】
2008207162.tif 000012
【図７】
2008207162.tif 000013
【図８】
2008207162.tif 000014
【図９】
2008207162.tif 000015
【図１０】
2008207162.tif 000016
【図１１】
2008207162.tif 000017
【図１２】
2008207162.tif 000018